(57)【要約】  【課題】  透湿性防水シートを用いて建造物のスラブのコンクリート面又はモルタル面を防水処理するにあたり、コンクリート面やモルタル面に多少の凹凸があっても透湿性防水シートの凹凸の発生を回避でき、有機溶剤の蒸発による作業環境や周辺環境への悪影響もなく、建物の躯体に負担がかからないように、できるだけ軽量化しながらも、スラブを歩行することが可能になる防水工法を提供する。  【解決手段】  屋上スラブのコンクリート面Ｓに樹脂モルタル４を塗布し、当該樹脂モルタル４が未だ固まらない間に、樹脂モルタル層の上に、透湿性を有する高分子膜１の表裏両面に不織布２ａ，２ｂが部分溶着又は部分接着により積層されて成る透湿性防水シートＡを敷設し、透湿性防水シートＡの上にセメント系保護材５を塗布する。  【選択図】  図３
2006070664.tif 000002
【特許請求の範囲】
【請求項１】
建造物のスラブのコンクリート面又はモルタル面に、表裏両面に不織布が積層されて成る透湿性防水シートを樹脂モルタルで貼り付け、透湿性防水シートの上にセメント系保護材を塗布することを特徴とする防水工法。
【請求項２】
建造物のスラブのコンクリート面又はモルタル面に樹脂モルタルを塗布し、当該樹脂モルタルが未だ固まらない間に、樹脂モルタル層の上に、透湿性を有する高分子膜の表裏両面に不織布が部分溶着又は部分接着により積層されて成る透湿性防水シートを敷設し、透湿性防水シートの上にセメント系保護材を塗布することを特徴とする防水工法。
【請求項３】
セメント系保護材が樹脂モルタル又はモルタルであることを特徴とする請求項１又は２に記載の防水工法。
【請求項４】
セメント系保護材がポーラスコンクリートであることを特徴とする請求項１又は２に記載の防水工法。
【発明の詳細な説明】
【技術分野】
【０００１】
本発明は、水蒸気は透過するが雨水などの水は透過しない透湿性防水シートを用いて建造物のスラブのコンクリート面又はモルタル面を、それらに含まれる気化水蒸気は透過するが、雨水等は透過しないように防水処理する、いわゆる一方向防水を行う防水工法に関する。
【背景技術】
【０００２】
透湿性防水シートを用いて屋上スラブのコンクリート面を一方向防水処理する屋上防水工法は、特許文献１〜３等によって既に知られている。これらの工法は、太陽熱の影響により屋上スラブのコンクリートに含まれる水分が気化した際、水蒸気が透湿性防水シートを透過するため、シート下の圧力が高くならず、非透湿性防水シートや非透湿性塗膜による屋上防水工法のような脱気装置を設けなくても、蒸気圧による防水処理面（透湿性防水シート）の膨れを防止できるという利点を有している。
【０００３】
しかし、特許文献１〜３に記載の屋上防水工法は、何れも透湿性防水シートの上に押さえ保護層を設けないいわゆる露出防水工法であり、次のような問題点を有していた。
【０００４】
即ち、特許文献１に記載の屋上防水工法では、透湿性高分子膜の裏面に通気性と緩衝性のある保護布（不織布、織布、編布など）を積層し、表面に多数の通気穴を有する水不透過性のシート（例えば独立気泡フォームシートの製造後、打ち抜き加工により貫通孔を形成したもの）を積層して成る透湿性防水シートを、コンクリート面にクロロプレン系接着剤で貼着しており、表面の水不透過性シートだけで透湿性高分子膜を保護している。
【０００５】
特許文献２に記載の屋上防水工法では、透湿性高分子膜の裏面に通気性と緩衝性のある保護布（不織布、織布、編布など）を積層し、表面に多数の通気穴を有する非発泡の熱可塑性樹脂シート（熱可塑性樹脂シートの製造後、打ち抜き加工により貫通孔を形成したもの）を積層して成る透湿性防水シートを、コンクリート面にブチルゴム系接着剤で貼着しており、表面の非発泡熱可塑性樹脂シートだけで透湿性高分子膜を保護している。
【０００６】
クロロプレン系接着剤やブチルゴム系接着剤は、非透湿性であるから、透湿性防水シート本来の透湿性能を発揮させる必要上、コンクリート面の全面を被覆してしまわないように、例えば格子状に塗布され、透湿性防水シートはコンクリート面に部分的に貼着されることになる。
【０００７】
特許文献３に記載の屋上防水工法では、透湿性及び防水性の付与されたプラスチックフィルム（透湿性高分子膜）の表裏両面に通気性繊維シート（不織布、織布、編布など）を積層して成る透湿性防水シートを、コンクリート面に透湿防水性接着剤で貼着しており、表面の通気性繊維シートだけで透湿性高分子膜を保護している。透湿防水性接着剤は、膨潤する層状格子をもつ鉱物粉（例えば、ベントナイト）を有機接着剤に混入したもので、コンクリート面の全面に塗布され、透湿性防水シートの全面がコンクリート面に貼着される。
【０００８】
上記の通り、従来の透湿性防水シートを用いた屋上防水工法では、透湿性高分子膜を保護する非発泡熱可塑性樹脂シート、非発泡熱可塑性樹脂シート、通気性繊維シート等が露出しているため、表面の非発泡熱可塑性樹脂シート、非発泡熱可塑性樹脂シート、通気性繊維シート等が損傷しやすく、屋上スラブを歩行することができない。
【０００９】
また、クロロプレン系接着剤やブチルゴム系接着剤では、上記の通り、コンクリート面の全面を被覆してしまわないように、例えば格子状に塗布する必要がある。従って、透湿性防水シートに、接着された部分と接着されない部分とがあって、格子状の凹凸が生じやすいばかりでなく、コンクリート面に凹凸がある場合、これに貼着された透湿性防水シートにも凹凸が生じることになり、コンクリート面の凹凸に起因する透湿性防水シートの凹凸を回避するためには、スラブコンクリートの打設時に、コンクリート面を高精度にこて仕上げしておくことが必要である。
【００１０】
特許文献３に記載されているような膨潤する層状格子をもつ鉱物粉を有機接着剤に混入した透湿防水性接着剤では、有機溶剤の蒸発による作業環境、周辺環境への悪影響を避けることができない。しかも、特許文献３に記載されている通り、透湿防水性接着剤では、粘性が低いため、コンクリート面への均一な塗布作業が容易である反面、コンクリート面の凹凸を修正する程度に厚塗りすることは困難である。従って、コンクリート面の凹凸に起因する透湿性防水シートの凹凸が生じやすい点では、特許文献１，２に記載の屋上防水工法と大同小異である。
【００１１】
【特許文献１】特開平８−２１８５６７号公報
【特許文献２】特開平９−２９１６５７号公報
【特許文献３】特公平６−６３３２３号公報
【発明の開示】
【発明が解決しようとする課題】
【００１２】
本発明は、上記の問題点を踏まえてなされたもので、その目的とするところは、透湿性防水シートを用いて建造物のスラブのコンクリート面又はモルタル面を防水処理するにあたり、コンクリート面やモルタル面に多少の凹凸があっても透湿性防水シートの凹凸の発生を回避でき、有機溶剤の蒸発による作業環境や周辺環境への悪影響もなく、建物の躯体に負担がかからないように、できるだけ軽量化しながらも、スラブを歩行することが可能になる防水工法を提供することにある。
【課題を解決するための手段】
【００１３】
上記の目的を達成するために、本発明が講じた技術的手段は、次のとおりである。即ち本発明による防水工法では、建造物のスラブのコンクリート面又はモルタル面に、表裏両面に不織布が積層されて成る透湿性防水シートを樹脂モルタルで貼り付け、透湿性防水シートの上にセメント系保護材を塗布するようにしている。
【００１４】
具体的には、請求項２に記載の発明のように、建造物のスラブのコンクリート面又はモルタル面に樹脂モルタルを塗布し、当該樹脂モルタルが未だ固まらない間に、樹脂モルタル層の上に、透湿性を有する高分子膜の表裏両面に不織布が部分溶着又は部分接着により積層されて成る透湿性防水シートを敷設し、透湿性防水シートの上にセメント系保護材を塗布することを特徴としている。
【００１５】
尚、本発明において、建造物のスラブとは、建造物の屋上スラブ、斜め屋根、庇、ベランダ等の屋外で主に雨水を対象とした床部位と、便所、厨房、風呂場等の屋内で水が使用される床部位を云う。透湿性防水シートの上に塗布するセメント系保護材としては、樹脂モルタル又はモルタルであってもよく（請求項３）、ポーラスコンクリートであってもよい（請求項４）。
【発明の効果】
【００１６】
本発明によれば、透湿性防水シート裏面の不織布の毛羽がコンクリート面又はモルタル面に塗布した樹脂モルタルの層にアンカーされた状態となるので、透湿性防水シートがコ
ンクリート面又はモルタル面に強固に固定されることになり、蒸気圧による透湿性防水シートの膨れを一層確実に防止できる。
【００１７】
たとえ、コンクリート面又はモルタル面に乾燥収縮等によるひび割れが発生し、樹脂モルタルの層までひびが入っても、透湿性防水シート裏面の不織布を構成する繊維同士のズレや繊維の切断による緩衝作用が発揮されることにより、透湿性高分子膜の切断が防止され、防水性能を維持できる。
【００１８】
殊に、本発明によれば、スラブのコンクリート面又はモルタル面に透湿性防水シートを樹脂モルタルで貼り付けるので、コンクリート面やモルタル面に多少の凹凸があっても、樹脂モルタル層の厚みによってコンクリート面やモルタル面の凹凸を吸収することが可能であり、コンクリート面やモルタル面の凹凸に起因する透湿性防水シートの凹凸を回避できる。
【００１９】
また、透湿性防水シートの貼着に樹脂モルタルを用いるので、透湿防水性接着剤を用いる場合のような有機溶剤の蒸発による作業環境や周辺環境への悪影響の虞もない。
【００２０】
透湿性防水シートがセメント系保護材で覆われるので、透湿性防水シート表面の不織布を損傷する虞がなく、スラブを歩行することが可能であり、しかも、透湿性防水シート表面の不織布の毛羽が透湿性防水シートの上に塗布されたセメント系保護材にアンカーされた状態になるので、透湿性防水シートとセメント系保護材の層との密着度が高い。従って、建物の構造体に負担がかからないように、セメント系保護材の層を薄くして軽量化しても、膨れが防止されて、スラブを歩行する際、セメント系保護材の層がペコついて異音が発生するといった事態を回避できる。
【００２１】
また、請求項３に記載の発明のように、セメント系保護材として、樹脂モルタルを用いる場合は、コンクリート面又はモルタル面に対する透湿防水シートの貼り付けと同じ樹脂モルタルを保護層の形成にも使用して、材料の共通化による低コスト化を図ることが可能であり、請求項４に記載の発明のように、セメント系保護材としてポーラスコンクリートを使用すれば、水はけの良いスラブを実現できる。
【発明を実施するための最良の形態】
【００２２】
以下、本発明に係る防水工法を例示図に基づいて説明する。図１は本発明の防水工法に用いる透湿性防水シートＡを示す。この透湿性防水シートＡは、透湿性を有する高分子膜１の表裏両面に不織布２ａ，２ｂを積層して構成したものである。透湿性を有する高分子膜１としては、例えば、水蒸気は透過するが雨水などの水は透過しない微細な通気孔を有する多孔質ポリエチレンフィルム、多孔質ポリテトラフルオロエチレンフィルム等が使用され、不織布２ａ，２ｂとしては、例えば、ポリエチレン繊維、ポリプロピレン繊維、ポリエステル繊維、アクリル繊維、ビニロン繊維、ナイロン繊維等で構成されたものが使用される。前記高分子膜１と不織布２ａ，２ｂとは、部分溶着又は部分接着により固定されている。これは、高分子膜１の通気孔が溶着や接着によって閉塞されるため、全面溶着や全面接着すると、高分子膜１の透湿性が損なわれるからである。
【００２３】
高分子膜１や不織布２ａ，２ｂとしては、上記の通り、種々の素材を採用できるが、融点を同じにして部分溶着を容易に行える点と、耐久性、耐候性に富む点では、高分子膜１として多孔質ポリエチレンフィルムを使用し、不織布２ａ，２ｂとしてポリエチレン繊維を使用することが望ましい。
【００２４】
本発明に係る防水工法の施工手順は、図２の（イ），（ロ），（ハ）に示す通りである。即ち、屋上スラブのコンクリート３が硬化し、少なくとも、作業員がコンクリート面Ｓ
を歩行しても支障ない程度の強度が発現した後、図２の（イ）に示すように、屋上スラブのコンクリート面Ｓに既調合の樹脂モルタル（これは膨潤しない）４を適当な厚さに塗布する。樹脂モルタル４の厚さは、２〜２．５ｍｍ程度とすることが好ましいが、コンクリート面Ｓに凹凸がある場合は、それよりも厚くし、例えば２．５〜５ｍｍ程度の厚さに塗布してもよい。
【００２５】
そして、前記樹脂モルタル４が未だ固まらない間に、図２の（ロ）に示すように、樹脂モルタル層の上に、前記透湿性防水シートＡを敷設する。
【００２６】
しかる後、図２の（ハ）に示すように、透湿性防水シートＡの上にセメント系保護材５を適当な厚さに塗布する。セメント系保護材５として、図示の例では、前記樹脂モルタル４と同じ樹脂モルタルを使用しているが、樹脂モルタルの代わりにモルタルやポーラスコンクリートを使用してもよい。セメント系保護材５として樹脂モルタルを使用すれば、材料の共通化による低コスト化を図ることができ、ポーラスコンクリートを使用すれば、水はけの良い屋上スラブが実現されることになる。何れを使用するにしても、セメント系保護材５の厚さは任意に設定できるが、薄過ぎると屋上スラブを歩行する時に欠損する虞があり、厚過ぎると重量が大きくなって、建物の躯体に大きな負担がかかるので、５〜５０ｍｍ程度とすることが望ましい。
【００２７】
上記の構成によれば、図３に示すように、透湿性防水シートＡ裏面の不織布２ｂの毛羽がコンクリート面Ｓに塗布した樹脂モルタル４の層にアンカーされた状態となるので、透湿性防水シートＡがコンクリート面Ｓに強固に固定されることになり、蒸気圧による透湿性防水シートＡの膨れを一層確実に防止できる。
【００２８】
たとえ、コンクリート面Ｓに乾燥収縮等によるひび割れが発生し、樹脂モルタル４の層までひびが入っても、透湿性防水シートＡ裏面の不織布２ｂを構成する繊維同士のズレや繊維の切断による緩衝作用が発揮されることにより、透湿性高分子膜１の切断が防止され、透湿性高分子膜１の防水性能を維持できる。
【００２９】
殊に、上記の構成によれば、屋上スラブのコンクリート面Ｓに透湿性防水シートＡを樹脂モルタル４で貼り付けるので、図３に示すように、コンクリート面Ｓに多少の凹凸があっても、樹脂モルタル層の厚みによってコンクリート面Ｓの凹凸を吸収することが可能であり、コンクリート面Ｓの凹凸に起因する透湿性防水シートＡの凹凸を回避できる。
【００３０】
また、図３に示すように、透湿性防水シートＡ表面の不織布２ａの毛羽が透湿性防水シートＡの上に塗布されたセメント系保護材５にアンカーされた状態になるので、透湿性防水シートＡとセメント系保護材５の層との密着度が高く、建物の構造体に負担がかからないように、セメント系保護材５の層を薄くして軽量化しても、膨れが防止され、屋上スラブを歩行する際、セメント系保護材５の層がペコついて異音が発生するといった事態を回避できる。
【００３１】
尚、透湿性防水シートＡ同士のジョイントは、図４に示すように、水下側に敷設された透湿性防水シートＡの水上側端部の上に、水上側に敷設された透湿性防水シートＡの水下側端部を重ね合わせ、それらの重ね合せ部を前記樹脂モルタル４と同じ樹脂モルタル４ａで互いに貼着することによって行われている。図中の矢印ａは水勾配を示す。この場合、樹脂モルタル４ａの層に、下側に来る透湿性防水シートＡ表面の不織布２ａの毛羽と、上側に来る透湿性防水シートＡ裏面の不織布２ｂの毛羽とがアンカーされた状態になるので、透湿性防水シートＡ同士のジョイントが強固に行われることになる。
【００３２】
また、上記の通り、透湿性防水シートＡの貼着に樹脂モルタル４、４ａを用いるので、
特許文献３に記載の透湿防水性接着剤を用いる場合のような有機溶剤の蒸発による作業環境や周辺環境への悪影響の虞がない。
【００３３】
以上、本発明の実施例について説明したが、本発明はこうした実施例に何等限定されるものではなく、本発明の要旨を逸脱しない範囲において、種々なる態様で実施し得ることは勿論である。
【図面の簡単な説明】
【００３４】
【図１】本発明の防水工法に用いる透湿性防水シートの模式的断面図である。
【図２】本発明の防水工法を説明する屋上スラブの概略縦断面図である。
【図３】図２の（ハ）における要部の拡大図である。
【図４】透湿性防水シートのジョイント部を説明する縦断面図である。
【符号の説明】
【００３５】
Ａ  透湿性防水シート
Ｓ  コンクリート面
１  透湿性を有する高分子膜
２ａ，２ｂ  不織布
４  樹脂モルタル
５  セメント系保護材
【図１】
2006070664.tif 000003
【図２】
2006070664.tif 000004
【図３】
2006070664.tif 000005
【図４】
2006070664.tif 000006